(57)【要約】【課題】  １段スイッチ用と２段スイッチ用の可動接点を混載でき、組立作業性の良い可動接点付シート及びこれを用いた押釦スイッチを提供する。【解決手段】  １段スイッチ用の第１の可動接点３と、２段スイッチ用の第２の可動接点４と、第１及び第２の可動接点３、４を収容可能な収容孔１ａ、１ｂを有する第１のシート１と、裏面に粘着部２を有しこの粘着部２で第１及び第２の可動接点３、４の一部を保持すると共に、第１のシート１の収容孔１ａ、１ｂの上面を塞ぐ第２のシート５とを備え、第１のシート１は、その厚みを第１の可動接点３の膨出部３ｃの高さより低い厚みに形成すると共に、第２の可動接点４を収容する収容孔１ｂの周縁に収容孔１ｂの厚みを加増する調整手段６を設け、第２の可動接点４の移動量を第１のシート１の厚みよりも拡大させた。【選択図】        図１
2005183171.tif 000002
【特許請求の範囲】
【請求項１】
ドーム状の膨出部を有し、１回の押圧操作で接点の切り換えが行なわれる１段スイッチ用の第１の可動接点と、２回の押圧操作で順次接点の切り換えが行なわれる２段スイッチ用の第２の可動接点と、前記第１及び第２の可動接点を収容可能な収容孔を有する第１のシートと、裏面に粘着部を有しこの粘着部で前記第１及び第２の可動接点の一部を保持すると共に、前記第１のシートの収容孔の上面を塞ぐ第２のシートとを備え、前記第１のシートは、その厚みを前記第１の可動接点の膨出部の高さより低い厚みに形成すると共に、前記第２の可動接点を収容する前記収容孔の周縁に該収容孔の厚みを加増する調整手段を設け、前記第２の可動接点の移動量を前記第１のシートの厚みよりも拡大させるようにしたことを特徴とする可動接点付シート。
【請求項２】
前記調整手段は、前記第１のシートの前記収容孔の周縁上面、又は周縁下面に貼り付けた板状部材で形成したことを特徴とする請求項１記載の可動接点付シート。
【請求項３】
前記調整手段は、前記第１のシートの前記収容孔の回りを囲む環状に設けたことを特徴とする請求項１、又は２記載の可動接点付シート。
【請求項４】
２段スイッチ用の前記第２の可動接点は、反転可能なドーム状の膨出部を有する反転ドームばねからなり、前記調整手段により前記第２の可動接点の下端周縁部が前記第１のシートの下面と同一な平面から浮上して設けられ、この下端周縁部で１段目の接点部を形成し、前記ドーム状の膨出部の頂部下面で２段目の接点部を形成したことを特徴とする請求項１乃至３の何れかに記載の可動接点付シート。
【請求項５】
２段スイッチ用の前記第２の可動接点は、反転可能なドーム状の膨出部を有する反転ドーム部と、この反転ドーム部の下端に連結する弾性片部と、この弾性片部に設けられた接触部とからなり、前記弾性片部の下端周縁部が前記第１のシートの下面と同一な平面と一致して設けられ、この下端周縁部を共通接点部とすると共に、前記接触部で１段目の接点部を形成し、前記反転ドーム部の頂部下面で２段目の接点部を形成したことを特徴とする請求項１乃至３の何れかに記載の可動接点付シート。
【請求項６】
請求項１乃至５の何れかに記載の可動接点付シートと、この可動接点付シートに収容された前記第１の可動接点の下端周縁部が載置される第１の周辺固定接点と、この第１の周辺固定接点に隣接して配設され、前記第１の可動接点のドーム状の膨出部の頂部下面が接離可能に対向して配置された第１の中央固定接点と、前記第２の可動接点の１段目の接点部と接離可能に対向して配置された第２の周辺固定接点と、この第２の周辺固定接点に隣接して配設され、前記第２の可動接点のドーム状の膨出部の頂部下面が接離可能に対向して配置された第２の中央固定接点と、前記第１と第２の周辺固定接点、及び前記第１と第２の中央固定接点が配設された絶縁基板とを備えたことを特徴とする押釦スイッチ。
【請求項７】
前記可動接点付シートに形成した前記調整手段に代えて、前記調整手段を前記絶縁基板上に形成したことを特徴とする請求項６記載の押釦スイッチ。
【発明の詳細な説明】
【技術分野】
【０００１】
本発明は、各種電子機器の操作用スイッチとして使用される押釦スイッチの構造に係り、特に押圧されることによりドーム状の膨出部が反転して接点の接離を行なう可動接点付シート及び押釦スイッチの構造に関する。
【背景技術】
【０００２】
従来の可動接点付シート及び押釦スイッチの構造としては、円形ドーム状の複数の可動接点を粘着シートに貼付けた可動接点付シートを基板上に配置したシートタイプの押釦スイッチの構造が知られている（例えば、特許文献１参照）。
【０００３】
この従来の可動接点付シート及び押釦スイッチの構造を図７、図８に示す。図７は従来の可動接点付シートの分解斜視図、図８は従来の可動接点付シートを用いた押釦スイッチの要部断面図である。
【０００４】
図において、複数個の可動接点５１は、ステンレス材やリン青銅等のバネ性を有する円形ドーム状の薄板の金属からなり、頂部からの押圧力に対して変位可能になっている。そして、可動接点５１は、ドーム状内に貫通する孔が存在せず、その中央部にはドーム状内に突出して形成された接点部５１ａを有している。
【０００５】
粘着シート５２は、ポリエステル樹脂等のフィルム材からなり、可撓性を有するシート状のシート部５３と、このシート部５３に設けられた複数個の孔５２ａと、この孔５２ａを除くシート部５３の下面に形成された非粘着部からなる気道部５５を除く部分に設けられた粘着剤５４とから構成されている。
【０００６】
気道部５５は、粘着剤５４をシート部５３の下面にスクリーン印刷することによって形成されており、その少なくとも一端が、粘着シート５２の孔５２ａ、又は粘着シート５２の外周端縁５２ｂに位置する気道口５６に繋がっている。そして、可動接点５１は、上面が粘着シート５２の粘着剤５４に貼着され、可動接点５１の上面、および可動接点５１の端部５１ｂの少なくとも一部が気道部５５上に載置された状態で貼着されている。
【０００７】
セパレータ５７は、粘着シート５２と略同形状のポリエステルフィルムからなり、その上下面に貫通して形成された複数個の孔５７ａを有している。また、セパレータ５７は、粘着シート５２の粘着剤５４によって、粘着シート５２の孔５２ａと孔５７ａが対向し、重なり合うように、粘着シート５２の下面に貼着されている。そして、このセパレータ５７は、粘着シート５２とで可動接点５１を挟持すると共に、可動接点５１の下面を保護することによって、可動接点付シート５８を構成している。
【０００８】
粘着シート５２の孔５２ａは、図示せぬ発光ダイオード（ＬＥＤ）等の発光素子を露出させるための孔であり、可動接点５１を押圧操作する操作体（図示せず）を、シート部５３で光を効率よく反射させて照光できる。
【０００９】
図８は押釦スイッチを示し、絶縁基板５９は、ポリイミドフィルム等のフレキシブル基板からなり、その表面には、銅箔からなる円形をした第一の固定接点５９ａと、この第一の固定接点５９ａを取り囲む略Ｃ字状をした第二の固定接点５９ｂがエッチングにて形成されている。
【００１０】
そして、可動接点付シート５８の粘着シート５２の下面に貼着されたセパレータ５７を剥がすことにより、粘着シート５２の粘着剤５４を露出させ、可動接点５１の端部５１ｂを第二の固定接点５９ｂに対向させて、粘着シート５２が絶縁基板５９の上面に貼着される。この時、可動接点５１は、端部５１ｂの周縁が第二の固定接点５９ｂに常時接触する状態で、絶縁基板５９の表面に載置された状態となる。
【００１１】
【特許文献１】特開２００１−１６０３３４号公報
【発明の開示】
【発明が解決しようとする課題】
【００１２】
上述した従来の可動接点付シート及び押釦スイッチが操作用スイッチとして使用される各種電子機器の内、例えば撮影機能付の装置においては、フォーカスとシャッターの２段スイッチが要求される。このような装置では、単キーの２段スイッチを別途回路基板上に実装する必要が有り、組立作業性が悪く、安価に形成できないという問題があった。
【００１３】
したがって、本発明では上述した問題点を解決し、１段スイッチ用と２段スイッチ用の可動接点を混載でき、組立作業性の良い可動接点付シート及びこれを用いた押釦スイッチを提供することを目的とする。
【課題を解決するための手段】
【００１４】
上記課題を解決するために本発明では第１の解決手段として、ドーム状の膨出部を有し、１回の押圧操作で接点の切り換えが行なわれる１段スイッチ用の第１の可動接点と、２回の押圧操作で順次接点の切り換えが行なわれる２段スイッチ用の第２の可動接点と、前記第１及び第２の可動接点を収容可能な収容孔を有する第１のシートと、裏面に粘着部を有しこの粘着部で前記第１及び第２の可動接点の一部を保持すると共に、前記第１のシートの収容孔の上面を塞ぐ第２のシートとを備え、前記第１のシートは、その厚みを前記第１の可動接点の膨出部の高さより低い厚みに形成すると共に、前記第２の可動接点を収容する前記収容孔の周縁に該収容孔の厚みを加増する調整手段を設け、前記第２の可動接点の移動量を前記第１のシートの厚みよりも拡大させるようにした構成とした。
【００１５】
また、第２の解決手段として、前記調整手段は、前記第１のシートの前記収容孔の周縁上面、又は周縁下面に貼り付けた板状部材で形成した構成とした。
また、第３の解決手段として、前記調整手段は、前記第１のシートの前記収容孔の回りを囲む環状に設けた構成とした。
【００１６】
また、第４の解決手段として、２段スイッチ用の前記第２の可動接点は、反転可能なドーム状の膨出部を有する反転ドームばねからなり、前記調整手段により前記第２の可動接点の下端周縁部が前記第１のシートの下面と同一な平面から浮上して設けられ、この下端周縁部で１段目の接点部を形成し、前記ドーム状の膨出部の頂部下面で２段目の接点部を形成した構成とした。
また、第５の解決手段として、２段スイッチ用の前記第２の可動接点は、反転可能なドーム状の膨出部を有する反転ドーム部と、この反転ドーム部の下端に連結する弾性片部と、この弾性片部に設けられた接触部とからなり、前記弾性片部の下端周縁部が前記第１のシートの下面と同一な平面と一致して設けられ、この下端周縁部を共通接点部とすると共に、前記接触部で１段目の接点部を形成し、前記反転ドーム部の頂部下面で２段目の接点部を形成した構成とした。
【００１７】
また、第６の解決手段として、第１乃至第５の解決手段の何れかに記載の可動接点付シートと、この可動接点付シートに収容された前記第１の可動接点の下端周縁部が載置される第１の周辺固定接点と、この第１の周辺固定接点に隣接して配設され、前記第１の可動接点のドーム状の膨出部の頂部下面が接離可能に対向して配置された第１の中央固定接点と、前記第２の可動接点の１段目の接点部と接離可能に対向して配置された第２の周辺固定接点と、この第２の周辺固定接点に隣接して配設され、前記第２の可動接点のドーム状の膨出部の頂部下面が接離可能に対向して配置された第２の中央固定接点と、前記第１と第２の周辺固定接点、及び前記第１と第２の中央固定接点が配設された絶縁基板とを備えた構成とした。
また、第７の解決手段として、前記可動接点付シートに形成した前記調整手段に代えて、前記調整手段を前記絶縁基板上に形成した構成とした。
【発明の効果】
【００１８】
上述したように、本発明の可動接点付シートは、ドーム状の膨出部を有し、１回の押圧操作で接点の切り換えが行なわれる１段スイッチ用の第１の可動接点と、２回の押圧操作で順次接点の切り換えが行なわれる２段スイッチ用の第２の可動接点と、第１及び第２の可動接点を収容可能な収容孔を有する第１のシートと、裏面に粘着部を有しこの粘着部で第１及び第２の可動接点の一部を保持すると共に、第１のシートの収容孔の上面を塞ぐ第２のシートとを備え、第１のシートは、その厚みを第１の可動接点の膨出部の高さより低い厚みに形成すると共に、第２の可動接点を収容する収容孔の周縁に収容孔の厚みを加増する調整手段を設け、第２の可動接点の移動量を第１のシートの厚みよりも拡大させるようにしたことから、調整手段によって第１のシートの収容孔の周囲を部分的に持ち上げて、２段スイッチ用の第２の可動接点の移動量を第１のシートの厚みよりも拡大したので、１段スイッチと２段スイッチの混載が可能となり、組立作業性が向上すると共に、安価対応が可能となる。
【００１９】
また、調整手段は、第１のシートの収容孔の周縁上面、又は周縁下面に貼り付けた板状部材で形成したことから、第１のシートに板状部材を貼り付けるだけの簡単な構成で、収容孔の厚さの調整を行なうことができる。
また、調整手段は、第１のシートの収容孔の回りを囲む環状に設けたことから、収納孔が環状の壁部で塞がれるので、収容孔の中への塵埃の侵入を防止できる。
【００２０】
また、２段スイッチ用の第２の可動接点は、反転可能なドーム状の膨出部を有する反転ドームばねからなり、調整手段により第２の可動接点の下端周縁部が第１のシートの下面と同一な平面から浮上して設けられ、この下端周縁部で１段目の接点部を形成し、ドーム状の膨出部の頂部下面で２段目の接点部を形成したことから、２段スイッチ用の第２の可動接点をシンプルな形状の反転ドームばねで形成できるので、部品の共用化が図れ、安価対応が可能となる。
また、２段スイッチ用の第２の可動接点は、反転可能なドーム状の膨出部を有する反転ドーム部と、反転ドーム部の下端に連結する弾性片部と、弾性片部に設けられた接触部とからなり、弾性片部の下端周縁部が第１のシートの下面と同一な平面と一致して設けられ、この下端周縁部を共通接点部とすると共に、接触部で１段目の接点部を形成し、反転ドーム部の頂部下面で２段目の接点部を形成したことから、２段スイッチ用の第２の可動接点の下端周縁部が、第１のシートが貼着される絶縁基板上に常に接触した状態となるので、第２の可動接点の押圧操作時の傾きを防止でき、確実なスイッチング動作が得られる。
【００２１】
また、第１乃至第５の解決手段の何れかに記載の可動接点付シートと、この可動接点付シートに収容された第１の可動接点の下端周縁部が載置される第１の周辺固定接点と、第１の周辺固定接点に隣接して配設され、第１の可動接点のドーム状の膨出部の頂部下面が接離可能に対向して配置された第１の中央固定接点と、第２の可動接点の１段目の接点部と接離可能に対向して配置された第２の周辺固定接点と、第２の周辺固定接点に隣接して配設され、第２の可動接点のドーム状の膨出部の頂部下面が接離可能に対向して配置された第２の中央固定接点と、第１と第２の周辺固定接点、及び第１と第２の中央固定接点が配設された絶縁基板とを備えたことから、１段スイッチと２段スイッチの組み込みを簡単に行なうことができ、組立作業性が向上できると共に、安価な２段スイッチを備えた押釦スイッチが得られる。
また、可動接点付シートに形成した調整手段に代えて、調整手段を絶縁基板上に形成したことから、第１のシートには調整手段を設ける必要がないので、搬送、組立時の部品管理が容易となり、作業性が向上できる。また、可動接点付シートの共用化が可能となる。
【発明を実施するための最良の形態】
【００２２】
以下、本発明の可動接点付シート及び押釦スイッチの実施形態を図１乃至図６に示す。図１は本発明の可動接点付シートの断面図、図２は板状部材の斜視図、図３は可動接点付シートを用いた押釦スイッチの断面図、図４は可動接点付シートの他の実施例を示す断面図、図５は可動接点付シートを用いた押釦スイッチの他の実施例を示す断面図、図６は２段スイッチ部の他の実施例を示す断面図である。
【００２３】
図１乃至図２において、第１のシート１は、ポリエステル樹脂等のフィルム材で形成されており、この第１のシート１には、上下に貫通する複数の収容孔１ａ、１ｂが形成されている。また、前記第１のシート１の裏面には、接着剤が塗布された粘着部２が設けられている。
【００２４】
前記第１のシート１の収容孔１ａには、第１の可動接点３が収容されている。この第１の可動接点３は、導電性の薄板金属板からなり、中央に反転可能な膨出部を有するドーム状に形成されている。すなわち、可動接点３は、後述する第１の固定接点９の第１の周辺固定接点９ｂ上へ載置される下端周縁部３ａと、この下端周縁部３ａから所定の角度で立ち上がるスカート部３ｂと、このスカート部３ｂに連続する反転可能なドーム状の膨出部３ｃとを備えている。
【００２５】
上記構成の第１の可動接点３は、後述する第１の固定接点９上に載置された際、前記下端周縁部３ａが第１の周辺固定接点９ｂに当接され、スカート部３ｂに連続するドーム状の膨出部３ｃが第１の中央固定接点９ａと離間された状態で対向されて配置されるものとなる。また、この場合、前記第１のシート１は、その厚みを第１の可動接点３の膨出部３ｃの高さより低い厚みとなるように形成されている。
【００２６】
前記第１のシート１の収容孔１ｂには、第２の可動接点４が収容されている。この第２の可動接点４は、同じく導電性の薄板金属板からなり、中央に反転可能な膨出部を有するドーム状に形成されている。すなわち、可動接点４は、後述する第２の固定接点１０の第２の周辺固定接点１０ｂと接離可能に対向して配置される下端周縁部４ａと、この下端周縁部４ａから所定の角度で立ち上がるスカート部４ｂと、このスカート部４ｂに連続する反転可能なドーム状の膨出部４ｃとを備えている。
【００２７】
上記構成の第２の可動接点４は、後述する第２の固定接点１０上に配置された際、前記下端周縁部４ａが第２の周辺固定接点１０ｂと離間された状態で対向されて配置され、また、スカート部４ｂに連続するドーム状の膨出部４ｃが第２の中央固定接点１０ａと離間された状態で対向されて配置されるものとなる。
この場合、前記第１の可動接点３が１段スイッチ用の可動接点を構成し、前記第２の可動接点４が２段スイッチ用の可動接点を構成している。
【００２８】
第２のシート５は、前記第１のシート１と同じくポリエステル樹脂等のフィルム材で形成されている。この第２のシート５には、裏面に接着剤が塗布された粘着部５ａが形成されており、この粘着部５ａで、前記第１の可動接点３のドーム状の膨出部３ｃ上面、及び前記第２の可動接点４のドーム状の膨出部４ｃ上面を保持すると共に、前記第１のシート１の収容孔１ａ、１ｂの上面を塞いだ状態で前記第１のシート１の上面側に貼着されている。
【００２９】
また、前記第１のシート１の収容孔１ｂの周縁上面には、板状部材６が設けられている。この板状部材６は、ポリエステル樹脂等のフィルム材で形成され、方形状の基板部６ａと、この基板部６ａの中央に設けられた円形の開口部６ｂとを有している。また、前記基板部６ａは前記収容孔１ｂの回りを囲む環状に形成されており、この基板部６ａの下面には粘着部６ｃが設けられている。また、前記開口部６ｂは前記収容孔１ｂと径が同じ大きさで形成されており、前記収容孔１ｂの周縁に前記基板部６ａが前記第１のシート１の上面と前記第２のシート５の下面との間に挟持された状態で粘着部６ｃ、５ａにより貼着されている。
【００３０】
前記板状部材６を前記第１のシート１の収容孔１ｂの周縁上面に貼付けることにより、前記第２の可動接点４を収容する前記収容孔１ｂの厚みを加増することができるので、前記収容孔１ｂに収容される第２の可動接点４の移動量を前記第１のシート１の厚みよりも拡大させることができるものとなる。
また、前記板状部材６を第１のシート１の収容孔１ｂの回りを囲む環状に設けることにより、収納孔１ｂが環状の壁部で塞がれるので、収容孔１ｂの中への塵埃の侵入を防止できるものとなる。
【００３１】
また、前記第１のシート１の接着剤が塗布された粘着部２側（下面側）には、同じくポリエステル樹脂等のフィルム材で形成された剥離シート７が貼着されている。この剥離シート７は、前記第１及び第２の可動接点３、４が後述する絶縁基板８の第１及び第２の固定接点９、１０上に載置されるまでの搬送や組立の間、前記第１及び第２の可動接点３、４を保護するものとなっている。上述したように、可動接点付シートが構成されている。
【００３２】
このように、第１のシート１の下面側が、前記保護用の剥離シート７で覆われていることから、搬送や準備の取扱い及び組立を簡単にでき、作業性が向上されるものとなっている。また、本実施例では、前記剥離シート７を、可動接点付シートの搬送、組立時のキャリアテープとしても使用している。
【００３３】
尚、上記実施例では、ポリエステル樹脂等のフィルム材で形成された前記板状部材６を前記第１のシート１の収容孔１ｂの周縁上面に貼付けることにより、前記第２の可動接点４を収容する前記収容孔１ｂの厚みを加増するようにしたが、これに代えて、印刷などにより厚肉の樹脂層を形成するようにしても良い。
【００３４】
また、前記第２のシート５は、前記第１のシート１と同様に１枚シートで形成するようにしたが、代わりに、複数個の小片からなる個別シート（図示せず）で各々形成して、この個別シートにより、個々に前記第１のシート１の各々の収容孔１ａ、１ｂに収容された第１及び第２の可動接点３、４の上面を保持すると共に、各々の収容孔１ａ、１ｂの上面を塞いだ状態で、個々に前記第１のシート１及び板状部材６の上面側に貼付けるようにしても良い。
【００３５】
上記構成の可動接点付シートは、前記第１のシート１の厚みを、前記第１の可動接点３の膨出部３ｃの高さより低い厚みに形成すると共に、前記第２の可動接点４を収容する前記収容孔１ｂの周縁に、この収容孔１ｂの厚みを加増する調整手段である前記板状部材６を設けて、前記第２の可動接点４の移動量を前記第１のシート１の厚みよりも拡大させるようにしたことから、前記板状部材６によって前記第１のシート１の収容孔１ｂの周囲を部分的に持ち上げて、２段スイッチ用の前記第２の可動接点４の移動量を前記第１のシート１の厚みよりも拡大したので、移動量の小さい１段スイッチ用の第１の可動接点３が第１の周辺固定接点９ｂから浮き上がることがなく、確実に接触させることができ、簡単な構成により、１枚のシート上に１段スイッチと２段スイッチの混載が可能となり、組立作業性が向上すると共に、安価対応が図れるものとなっている。
【００３６】
図３は、可動接点付シートを用いた押釦スイッチの構成を示しており、基台となる絶縁基板８は、フェノール樹脂などの積層板から形成され、この絶縁基板８の上面には、カーボンあるいは銀箔などの導電性の材料で印刷された第１及び第２の固定接点９、１０が形成されている。この第１及び第２の固定接点９、１０は、中央に設けられた第１及び第２の中央固定接点９ａ、１０ａと、この第１及び第２の中央固定接点９ａ、１０ａを挟んで両側に対向して配設された第１及び第２の周辺固定接点９ｂ、１０ｂとから構成されている。
【００３７】
前記絶縁基板８上に、上述した可動接点付シートが載置される際には、前記剥離シート７が前記第１のシート１の粘着部２側（下面側）から剥離され、第１のシート１の粘着部２によって第１のシート１が絶縁基板８に貼着されるものとなっている。
【００３８】
この時、前記第１のシート１は、その厚みが第１の可動接点３の膨出部３ｃの高さより低い厚みとなるように形成されているため、前記第１の可動接点３の下端周縁部３ａが、前記第１の周辺固定接点９ｂに当接されると共に、スカート部３ｂに連続するドーム状の膨出部３ｃが、前記第１の中央固定接点９ａと離間された状態で対向されて配置されるものとなる。この第１の可動接点３と第１の中央固定接点９ａ及び第１の周辺固定接点９ｂとで１段スイッチ用の接点部を構成している。
【００３９】
一方、前記第２の可動接点４を収容する前記収容孔１ｂは、前記板状部材６によってその厚みが加増されているため、前記第２の可動接点４の下端周縁部４ａは、前記第１のシートの下面と同一な平面から浮上して設けられた状態となって、前記第２の周辺固定接点１０ｂと離間された状態で対向されて配置されており、同じくスカート部４ｂに連続するドーム状の膨出部４ｃが、前記第２の中央固定接点１０ａと離間された状態で対向されて配置されるものとなる。
【００４０】
このように、前記第２の可動接点４を収容する前記収容孔１ｂの厚みを、前記第１のシート１の厚みよりも厚くすることにより、前記第２の可動接点４の移動量を拡大させるようにしている。前記第２の可動接点４と第２の中央固定接点１０ａ及び第２の周辺固定接点１０ｂとで２段スイッチ用の接点部を構成しており、第２の可動接点４の下端周縁部４ａで１段目の接点部を形成し、ドーム状の膨出部４ｃの頂部下面で２段目の接点部を形成している。
【００４１】
尚、２段スイッチ用の接点部を構成する前記第２の可動接点４は、１段スイッチ用の接点部を構成する前記第１の可動接点３と同一の構成としても良い。この場合には、第１の可動接点３と第２の可動接点４とが同一部品で形成できるので、安価対応が可能となる。また、１段スイッチ用と２段スイッチ用の接点部を共用できるので、適宜な箇所に前記板状部材６を取り付けるだけで、簡単に、１段スイッチ用と２段スイッチ用の接点部が混載した可動接点付シートを得ることが可能となる。
また、２段スイッチ用の接点部を構成する前記第２の可動接点４を、シンプルな形状の反転ドームばねで形成できるので、部品の共用化が図れると共に、安価対応が可能となる。
【００４２】
上記構成の押釦スイッチの動作を説明する。
まず、１段スイッチ用の接点部は、図３に示す初期の状態では両固定接点間９ａ、９ｂは非導通でスイッチはオフ状態となっている。
ここで、図示しない電子機器などの操作部で第２のシート５の上面側が押圧されると、第１の可動接点３のドーム上の膨出部３ｃが下側に押されて反転するものとなり、この反転によってクリック感触を生ずると共に、膨出部３ｃの下面側の接点部が対向して配置された第１の中央固定接点９ａと接触して、第１の可動接点３を介して第１の中央固定接点９ａと第１の周辺固定接点９ｂとが電気的に導通されオン状態となり信号が出力されるものとなる。
【００４３】
次に、上記状態から、前記第２のシート５の押圧が解除されると、第１の可動接点３が自身のばね力で上方向へ反転し、この反転によってクリック感触を生ずると共に、膨出部３ｃの下面側の接点部が第１の中央固定接点９ａから離間して、第１の中央固定接点９ａと第１の周辺固定接点９ｂとが電気的に遮断されオフ状態となる。
【００４４】
次に、２段スイッチ用の接点部は、図３に示す初期の状態では、第２の可動接点４は板状部材６によって収容孔１ｂの上方へ持ち上げられた状態となっていることから、第２の固定接点１０の内、１段目の接点部となる一対の第２の周辺固定接点１０ｂ、１０ｂ間は非導通状態となっており、また、２段目の接点部となる第２の中央固定接点１０ａも離間した状態で非導通でスイッチはオフ状態となっている。
【００４５】
ここで、図示しない電子機器などの操作部で第２のシート５の上面側が押圧されると、第２の可動接点４のドーム上の膨出部４ｃが下側に押されて下端周縁部４ａも下方へ移動して、この下端周縁部４ａが一対の第２の周辺固定接点１０ｂ、１０ｂと接触することにより、第２の可動接点４を介して一対の第２の周辺固定接点１０ｂ、１０ｂが電気的に導通されオン状態となり１段目の信号が出力されるものとなる。尚、この１段目のスイッチ動作においてはクリック感触は生じない。
【００４６】
この状態から、更に、第２のシート５の上面側が押圧されると、第２の可動接点４のドーム上の膨出部４ｃが下側に押されて反転するものとなり、この反転によってクリック感触を生ずると共に、膨出部４ｃの下面側の接点部が対向して配置された第２の中央固定接点１０ａと接触して、第２の可動接点４を介して第２の中央固定接点１０ａと第２の周辺固定接点１０ｂとが電気的に導通されオン状態となり２段目の信号が出力されるものとなる。
【００４７】
次に、上記状態から、前記第２のシート５の押圧が解除されると、第２の可動接点４が自身のばね力で上方向へ反転し、この反転によってクリック感触を生ずると共に、膨出部４ｃの下面側の接点部が第２の中央固定接点１０ａから離間して、第２の中央固定接点１０ａと第２の周辺固定接点１０ｂとが電気的に遮断され２段目の接点部がオフ状態となり、更に、第２の可動接点４が第２のシート５の有する弾性力によって上方へ持ち上げられて下端周縁部４ａが一対の第２の周辺固定接点１０ｂ、１０ｂから離間されて電気的に遮断され１段目の接点部もオフ状態となる。
【００４８】
このように、１段スイッチ用及び２段スイッチ用の上記第１及び第２の可動接点３、４が収容された可動接点付シートを、第１及び第２の固定接点９、１０が配設された絶縁基板８上に載置することにより、簡単に、１段スイッチ用の接点部及び２段スイッチ用の接点部を備えたシートタイプの押釦スイッチの構成が得られ、上記構成とすることにより、１段スイッチと２段スイッチの組み込みを簡単に行なうことができ、組立作業性が向上できると共に、安価な２段スイッチを備えた押釦スイッチが提供できる。
【００４９】
図４及び図５に示すのは、本発明の可動接点付シート及び押釦スイッチの他の実施例を示している。上記実施例の構成と異なるのは、第１のシート１に設けられた板状部材６の貼付け位置が相違している点である。尚、上記実施例で説明した同一構成部品については同一符号を付してその詳細な説明は省略する。
【００５０】
すなわち、本実施例においては、図４に示すように前記板状部材６は、前記第１のシート部材１の収容孔１ｂの周縁下面に設けられており、前記収容孔１ｂの周縁に前記基板部６ａが前記第１のシート１の下面と前記剥離シート７の上面との間に挟持された状態で粘着部２、６ｃにより貼着されている。
【００５１】
図５は、本実施例の可動接点付シートを用いた押釦スイッチの構成を示している。絶縁基板８上に、上記可動接点付シートが載置される際には、前記剥離シート７が前記第１のシート１の粘着部２側（下面側）から剥離され、第１のシート１及び板状部材６の粘着部２、６ｃによって第１のシート１及び板状部材６が絶縁基板８に貼着されるものとなっている。
尚、本実施例の押釦スイッチの動作については、上記実施例の構成と同一なことからその説明は省略する。
【００５２】
尚、本実施例においては、板状部材６は、第１のシート１の下面側に貼着されて可動接点付シートと一体的に形成されているが、この板上部材６は、絶縁基板８上に形成するようにしても良く、この場合には、前記第１のシート１には板状部材６を設ける必要がないので、可動接点付シートの搬送、組立時の部品管理が容易となり、作業性が向上できる。また、可動接点付シートに板状部材６を貼り付ける必要がないので可動接点付シートの共用化が可能となる。
【００５３】
図６に示すのは、本発明の２段スイッチ用の第２の可動接点４の他の実施例の構成を示している。上記実施例の構成と異なるのは、第２の可動接点４の構成が相違している点である。尚、上記実施例で説明した同一構成部品については同一符号を付してその詳細な説明は省略する。
【００５４】
すなわち、本実施例では、２段スイッチ用の第２の可動接点１１は、反転可能なドーム状の膨出部を有する反転ドーム部１１ａと、この反転ドーム部１１ａの下端に連結する弾性片部１１ｂと、この弾性片部１１ｂに設けられた接触部１１ｃとからなり、前記弾性片部１１ｂの下端周縁部１１ｄが、前記第１のシート１の下面と同一な平面と一致するように形成されている。
また、前記下端周縁部１１ｄが共通接点部を形成しており、前記接触部１１ｃが１段目の接点部を形成し、前記反転ドーム部１１ａの頂部下面が２段目の接点部を形成している。
【００５５】
また、押釦スイッチを構成する絶縁基板８に形成された第２の固定接点１２は、中央に設けられた第２の中央固定接点１２ａと、この第２の中央固定接点１２ａを挟んで両側に対向して配設された第２の周辺固定接点１２ｂと、この第２の周辺固定接点１２ｂの外周に配設された共通固定接点１２ｃとから構成されている。
【００５６】
前記絶縁基板８上に、上記可動接点付シートが載置される際には、前記第２の可動接点１１の下端周縁部１１ｄが、前記共通固定接点１２ｃと当接されて電気的に導通されており、また、１段目の接点部となる前記接触部１１ｃは、前記第１のシートの下面と同一な平面から浮上して設けられた状態となって、前記第２の周辺固定接点１２ｂと離間された状態で対向されて配置されており、同じく２段目の接点部となるドーム状の反転ドーム部１１ａが、前記第２の中央固定接点１２ａと離間された状態で対向されて配置されるものとなる。
【００５７】
同じように、前記第２の可動接点１１を収容する前記収容孔１ｂの厚みは、板状部材６によって前記第１のシート１の厚みよりも厚く形成されており、前記第２の可動接点１１の移動量を拡大させるようにしている。そして、前記第２の可動接点１１と第２の中央固定接点１２ａ、第２の周辺固定接点１２ｂ及び共通固定接点１２ｃとで２段スイッチ用の接点部を構成している。
【００５８】
上記構成の２段スイッチ用の押釦スイッチの動作を説明する。
まず、初期の状態では、第２の可動接点１１は板状部材６によって収容孔１ｂ内へ収容されており、この状態では、第２の固定接点１２の内、１段目の接点部となる第２の周辺固定接点１２ｂと共通固定接点１２ｃ間は非導通状態となっており、また、２段目の接点部となる第２の中央固定接点１２ａも離間した状態で非導通でスイッチはオフ状態となっている。
【００５９】
ここで、図示しない電子機器などの操作部で第２のシート５の上面側が押圧されると、第２の可動接点１１のドーム状の反転ドーム部１１ａが下側に押されて弾性片部１１ｂが撓み、接触部１１ｃが下方へ移動して、この接触部１１ｃが第２の周辺固定接点１２ｂと接触することにより、第２の可動接点１１を介して第２の周辺固定接点１２ｂと共通固定接点１２ｃ間が電気的に導通されオン状態となり１段目の信号が出力されるものとなる。
【００６０】
この状態から、更に、第２のシート５の上面側が押圧されると、第２の可動接点１１のドーム上の反転ドーム部１１ａが下側に押されて反転するものとなり、この反転によって反転ドーム部１１ａの下面側の接点部が対向して配置された第２の中央固定接点１２ａと接触して、第２の可動接点１１を介して第２の中央固定接点１２ａと共通固定接点１２ｃとが電気的に導通されオン状態となり２段目の信号が出力されるものとなる。
【００６１】
次に、上記状態から、前記第２のシート５の押圧が解除されると、第２の可動接点１１が自身のばね力で上方向へ反転及び弾性復帰し、この反転及び弾性復帰によって、第２の中央固定接点１２ａ及び第２の周辺固定接点１２ｂから離間して電気的に遮断され接点部がオフ状態となる。
尚、１段目の接触部１１ｃはクリック感を生じず、２段目の接点部がクリック感を伴って固定接点と接触するが、１段目の接触部１１ｃがクリック感を生じるように形成しても良い。
【００６２】
本実施例によれば、２段スイッチ用の前記第２の可動接点１１の下端周縁部１１ｄが、前記第１のシート１が貼着される絶縁基板８上に設けられた前記共通固定接点１２ｃに常に接触した状態となるので、第２の可動接点１１の押圧操作時の傾きを防止でき、確実なスイッチング動作が得られるものとなっている。
【図面の簡単な説明】
【００６３】
【図１】本発明の一実施例である可動接点付シートを示す断面図である。
【図２】本発明の板状部材を示す斜視図である。
【図３】本発明の可動接点付シートを用いた押釦スイッチを示す断面図である。
【図４】本発明の可動接点付シートの他の実施例を示す断面図である。
【図５】本発明の可動接点付シートを用いた押釦スイッチの他の実施例を示す断面図である。
【図６】本発明の２段スイッチ部の他の実施例を示す断面図である。
【図７】従来の可動接点付シートを示す分解斜視図である。
【図８】従来の可動接点付シートを用いた押釦スイッチを示す要部断面図である。
【符号の説明】
【００６４】
１：第１のシート
１ａ：収容孔
１ｂ：収容孔
２：粘着部
３：第１の可動接点
３ａ：下端周縁部
３ｂ：スカート部
３ｃ：膨出部
４：第２の可動接点
４ａ：下端周縁部
４ｂ：スカート部
４ｃ：膨出部
５：第２のシート
５ａ：粘着部
６：板状部材（調整手段）
６ａ：基板部
６ｂ：開口部
６ｃ：粘着部
７：剥離シート
８：絶縁基板
９：第１の固定接点
９ａ：第１の中央固定接点
９ｂ：第１の周辺固定接点
１０：第２の固定接点
１０ａ：第２の中央固定接点
１０ｂ：第２の周辺固定接点
１１：第２の可動接点
１１ａ：反転ドーム部
１１ｂ：弾性片部
１１ｃ：接触部
１１ｄ：下端周縁部
１２：第２の固定接点
１２ａ：第２の中央固定接点
１２ｂ：第２の周辺固定接点
１２ｃ：共通固定接点
【図１】
2005183171.tif 000003
【図２】
2005183171.tif 000004
【図３】
2005183171.tif 000005
【図４】
2005183171.tif 000006
【図５】
2005183171.tif 000007
【図６】
2005183171.tif 000008
【図７】
2005183171.tif 000009
【図８】
2005183171.tif 000010